(57)【特許請求の範囲】
【請求項１】
あらかじめ基礎に締着され、縦溝を有する一対の縦枠部材で構成したフレーム据付用基体と、縦溝を有する一対の縦枠部材を双方の縦溝を対向させて上下の横枠部材で連結して構成され、前記フレーム据付用基体の縦溝に収嵌した窓枠状の戸当りフレームと、この戸当りフレームの縦溝に嵌入され、当該戸当りフレームの縦溝をガイドとして上下に開閉自在な扉体とからなることを特徴とする制水扉。
【請求項２】
前記戸当りフレームの上端を、固定金具により前記フレーム据付用基体に固定してなる請求項１に記載の制水扉。
【請求項３】
前記フレーム据付用基体が耐食性材料で構成されてなる請求項１または請求項２に記載の制水扉。
【発明の詳細な説明】
【０００１】
【産業上の利用分野】
この発明は、ゲートの交換を簡単に行うことができる制水扉に関する。
【０００２】
【従来の技術】
灌漑のための用水路などに流路を開放・閉止するために設置される制水扉は、図７および図８に示すように、縦溝２，２を有する一対の縦枠部材１，１を双方の縦溝２，２を対向させて上下の横枠部材３，３で連結して窓枠状の戸当りフレームＡを構成し、この戸当りフレームＡに前記縦溝２，２をガイドとして上下に開閉自在な扉体４を嵌入して構成される。図５および図６をも参照して、縦枠部材１，１の縦溝２，２の前面および上下の横枠部材３，３の前面に、それぞれ止水板２ａ，３ａを固着し、また、この止水板２ａ，３ａに対応する扉体４の左右・上下の側縁後面にも、止水板４ａを固着している。そして、戸当りフレームＡの左右の縦枠部材１，１の下部側前面に、それぞれ傾斜面を有する楔型固着具１０，１０を取付け、また、扉体４の両側縁の前面における前記楔型固着具１０，１０に対応する位置には、楔型部材１１，１１をそれぞれ取付けている。この楔型部材１１，１１と、前記楔型固着具１０，１０とは、扉体４を下降させたとき相互の傾斜面が摺接し、扉体４を後側に押し遣る。そして、扉体４が完全閉止したとき扉体４を戸当りフレームＡに押え付け、前記止水板２ａ，３ａと止水板４ａとが密着して水密性を保持する。
【０００３】
ところで、戸当りフレームＡは、図５および図６に示すように、基礎２０にアンカーボルト１３で締着され、アンカーボルト１３は、差筋１４を介して鉄筋１５に固定されている。そして、楔型固着具１０は、戸当りフレームＡの縦枠部材１の前面に締付けボルト１６により固定されている。この場合、扉体４、戸当りフレームＡおよび楔型固着具１０は鋳鉄（FC 200）製で、アンカーボルト１３はステンレス鋼（SUS304）製であり、また、止水板２ａ，３ａと止水板４ａおよび楔型部材１１の材質はステンレス鋼（BC6/SUS304）で構成されている。
【０００４】
【発明が解決しようとする課題】
このように、従来の制水扉は、戸当りフレームＡを基礎２０に直接据付け、縦溝２，２に扉体４を嵌入して構成されているので、扉体４や戸当りフレームＡが老朽化したり、止水板２ａ，３ａあるいは４ａが損傷したりして、交換の必要性が生じた場合、基礎２０を取り壊し、戸当りフレームＡを含む一式を取り換えなければならず、しかも、流入水を完全に遮断した状態での交換工事を余儀なくされた。したがって、ゲートの交換工事が面倒で、多大の労力と時間がかかり、要する費用も莫大なものであった。
【０００５】
この発明は、従来の設置工法における上記した問題点を解決し、ゲートの交換を簡単に行うことができる制水扉を提供することを目的とする。
【０００６】
【課題を解決するための手段】
上記の目的を達成するため、本発明は、あらかじめ基礎に締着され、縦溝を有する一対の縦枠部材で構成したフレーム据付用基体と、縦溝を有する一対の縦枠部材を双方の縦溝を対向させて上下の横枠部材で連結して構成され、前記フレーム据付用基体の縦溝に収嵌した窓枠状の戸当りフレームと、この戸当りフレームの縦溝に嵌入され、当該戸当りフレームの縦溝をガイドとして上下に開閉自在な扉体とからなることを特徴とする制水扉を構成した。この場合、前記戸当りフレームの上端を、固定金具により前記フレーム据付用基体に固定するとよい。また、前記フレーム据付用基体を耐食性材料で構成するとよい。
【０００７】
【作用】
戸当りフレームは、第１の発明では、板状部材からなるフレーム据付用基体を介して、また、第２の発明では、縦溝を有する一対の縦枠部材からなるフレーム据付用基体を介して、二重戸当り構造として据付けられる。
【０００８】
【実施例】
以下に、本発明の実施例を図面に基づき詳細に説明する。図１および図２は、本発明の第１の実施例について示す制水扉の一部を省略した斜視図および平面断面図である。両図を参照して、縦溝２を有する縦枠部材１を横枠部材３で連結して窓枠状の戸当りフレームＡ（鋳鉄（FC 200）製）を構成し、この戸当りフレームＡに前記縦枠部材１の縦溝２をガイドとして上下に開閉自在な扉体４（ステンレス鋼（BC6/SUS304）製）を嵌入する。
【０００９】
戸当りフレームＡにおける縦枠部材１の縦溝２の前面と横枠部材３の前面にはそれぞれ止水板２ａ，３ａが固着され、また、この止水板２ａ，３ａに対応する扉体４の左右・上下の側縁後面にも、止水板４ａを固着している。そして、戸当りフレームＡの縦枠部材１の下部側前面に、傾斜面を有する楔型固着具１０（鋳鉄（FC 200）製）を取付け、また、扉体４の側縁の前面における前記楔型固着具１０に対応する位置には、楔型部材１１（ステンレス鋼（BC6/SUS304）製）をそれぞれ取付け、扉体４を下降させたとき、この楔型部材１１と前記楔型固着具１０との相互の傾斜面が摺接し、扉体４を後側に押し遣る。そして、扉体４が完全閉止したとき扉体４を戸当りフレームＡに押え付け、前記止水板２ａ，３ａと止水板４ａとが密着して水密性を保持する。上記の構成は、従来技術で説明したところと同一構成である。
【００１０】
戸当りフレームＡの後側には、折曲部６ａを有する板状部材６からなるフレーム据付用基体５が配設される。板状部材６の材質は、将来的に交換の必要のない耐食性，耐摩耗性を有するステンレス鋳鋼（SCS 13）が用いられる。基礎２０内には、ステンレス鋼（SUS304）製のアンカーボルト１３が、このアンカーボルト１３に差筋１４を介して溶接接続された鉄筋１５と共に、コンクリート１６により固定されている。板状部材６は、このアンカーボルト１３を介して基礎２０に締着される。戸当りフレームＡは、この板状部材６に植込みボルト８により締付け固定され、その前面に楔型固着具１０を締付けボルト１６により取付ける。そして、戸当りフレームＡの縦溝２に扉体４が嵌入される。
【００１１】
この第１の実施例において、扉体４や戸当りフレームＡが老朽化したり、止水板２ａ，３ａあるいは４ａが損傷したりして交換の必要性が生じた場合は、フレーム据付用基体５は基礎２０に据付けたまま、扉体４，楔型固着具１０および戸当りフレームＡを取り除き、新たに戸当りフレームＡをフレーム据付用基体５に据付けることにより、交換作業が行われる。
【００１２】
次に、図３および図４は、本発明の第２の実施例について示す制水扉の一部を省略した斜視図および平面断面図である。この実施例においては、フレーム据付用基体５（ステンレス鋳鋼（SCS 13）製）を、縦溝７ａを有する一対の縦枠部材７（図では、一方のみが表示されている。）で構成し、これをアンカーボルト１３を介して基礎２０に締着している。縦枠部材７の前面には、傾斜面を有する楔型固着具１７（鋳鉄（FC 200）製）が取付けられる。そして、フレーム据付用基体５の縦溝７ａに沿って戸当りフレームＡを収嵌する。戸当りフレームＡには、その前面における前記楔型固着具１７に対応する位置に楔型部材１８（ステンレス鋼（BC6/SUS304）製）が取付けられ、また、その後面に止水板４ｂが設けられている。フレーム据付用基体５に戸当りフレームＡを嵌入すると、楔型部材１８と前記楔型固着具１７との相互の傾斜面が摺接し、戸当りフレームＡを後側に押し遣り、止水板４ｂがフレーム据付用基体５の縦溝７ａの前面に押し付けられて、水密性を保持する。この状態、つまりフレーム据付用基体５の縦溝７ａに沿って戸当りフレームＡを収嵌した状態で、戸当りフレームＡの縦溝２に扉体４が収嵌され、制水扉が構成される。この第２の実施例中、第１の実施例と同一の部位および部材には、共通の符号を付し、その説明を省略した。
【００１３】
なお、この第２の実施例における制水扉では、戸当りフレームＡの外側に縦枠部材７からなるフレーム据付用基体５を設ける、いわゆる二重戸当り構造としたので、扉体４の開閉作動に伴ってフレーム据付用基体５の縦溝７ａに沿って戸当りフレームＡが上下動するおそれがあることから、フレーム据付用基体５の上端に固定金具９を取付け、この固定金具９により、戸当りフレームＡの上端をフレーム据付用基体５に固定しておく。
【００１４】
この第２の実施例において、扉体４や戸当りフレームＡが老朽化したり、止水板２ａ，３ａあるいは４ａが損傷したりして交換の必要性が生じた場合は、フレーム据付用基体５は基礎２０に据付けたまま、扉体４，楔型固着具１０，１７および戸当りフレームＡを取り除き、新たに戸当りフレームＡをフレーム据付用基体５に据付けることにより、交換作業が行われる。この際、戸当りフレームＡが縦枠部材７からなるフレーム据付用基体５に収嵌される構成としたので、流れを塞き止めることなく、いわゆる不断水で、交換工事を行うことができる。
【００１５】
【発明の効果】
以上説明したように、本発明に係る制水扉は、扉体が嵌入されるべき戸当りフレームを基礎に直接据付けるのではなく、フレーム据付用基体に据付けたので、扉体や戸当りフレームが老朽化したり、止水板が損傷したりして、交換の必要性が生じたとしても、従来のように、基礎を取り壊し戸当りフレームを含む一式を取り換えるという面倒な交換工事は不要で、フレーム据付用基体を基礎に据付けたまま、戸当りフレームを交換するだけでよく、ゲートの交換を簡単に行うことができる。したがって、ゲートの交換工事を少ない労力でしかも短時間で行うことができ、低コストで済む。上記のフレーム据付用基体は、将来的に交換の必要のない耐食性，耐摩耗性を有するステンレス鋳鋼（SCS 13）製であるので、半永久的に使用できる。
【００１６】
また、本発明の第２の実施例によれば、戸当りフレームが縦枠部材からなるフレーム据付用基体に収嵌される、いわゆる二重戸当り構造としたので、ゲートの交換作業を不断水で行うことができる効果がある。
【図面の簡単な説明】
【図１】本発明の第１の実施例について示す制水扉の一部を省略した斜視図である。
【図２】図１の平面断面図である。
【図３】本発明の第２の実施例について示す制水扉の一部を省略した斜視図である。
【図４】図３の平面断面図である。
【図５】従来の第１の制水扉の一部を省略した斜視図である。
【図６】図５の平面断面図である。
【図７】一般的な制水扉の構造を示す正面図である。
【図８】図７の縦断側面図である。
【符号の説明】
Ａ  …戸当りフレーム
１  …縦枠部材
２  …縦溝
２ａ…止水板
３  …横枠部材
３ａ…止水板
４  …扉体
４ａ…止水板
４ｂ…止水板
５  …フレーム据付用基体
６  …板状部材
７  …縦枠部材
７ａ…縦溝
８  …植込みボルト
９  …固定金具
１０  …楔型固着具
１１  …楔型部材
１３  …アンカーボルト
１６  …締付けボルト
１７  …楔型固着具
１８  …楔型部材
２０  …基礎
【図１】
0003649349.tif 000002
【図２】
0003649349.tif 000003
【図３】
0003649349.tif 000004
【図４】
0003649349.tif 000005
【図５】
0003649349.tif 000006
【図６】
0003649349.tif 000007
【図７】
0003649349.tif 000008
【図８】
0003649349.tif 000009